(57)【要約】【課題】構造と組立が簡単なＬＥＤランプモジュールを提供する。【解決手段】ＬＥＤランプ１０は外部に露出している二つの電気端子１３を有し、電気端子１３を介して外部の電源を導入し、光を生成可能である。固定ユニット２０は頂部２１と、頂部２１の周縁から延びて形成される壁面２２と、壁面底部に形成される固定片２３とを有する。ＬＥＤランプ１０は壁面２２と頂部２１との間に位置付けられる。ランプの笠３０は底部３１と、底部３１から環状を呈するように延びて形成される集光部３２とを有し、底部３１及び集光部３２により収容室を形成し、底部３１は固定孔３３と貫通孔３４とを有し、固定ユニット２０とＬＥＤランプ１０は収容室内に位置付けられ、固定片２３は固定孔３３を貫通し、固定ユニット２０、ＬＥＤランプ１０、及びランプの笠３０の間の相互位置を安定させ、電気端子１３を貫通孔３４に別々に対応させる。【選択図】図３
2008066056.tif 000002
【特許請求の範囲】
【請求項１】
外部に露出している二つの電気端子を有し、電気端子を介して外部の電源を導入し、光を生成可能であるＬＥＤランプと、
頂部と、頂部の周縁から延びて形成される壁面と、壁面底部に形成される少なくとも一つの固定片とを有し、ＬＥＤランプを壁面と頂部との間に位置付ける固定ユニットと、
陥凹している収容室を形成し、前記収容室は底部に少なくとも一つの固定孔と二つの貫通孔とを有するランプの笠と、を備え、
前記固定ユニットと前記ＬＥＤランプとは収容室内に位置付けられ、固定片は固定孔を貫通し、固定ユニット、ＬＥＤランプ、及びランプの笠の間の相互位置を安定させ、二つの電気端子を二つの貫通孔に別々に対応させることを特徴とするＬＥＤランプモジュール。
【請求項２】
ＬＥＤランプは、底座と、底座に装着されるＬＥＤ発光ユニットと、ＬＥＤ発光ユニットを密封するように底座に装着されるカバーと、一端がＬＥＤユニットに電気的に接続され他端が底座から露出する電気端子と、を有することを特徴とする請求項１に記載のＬＥＤランプモジュール。
【請求項３】
底座は絶縁性のあるプラスチック材質から構成され、
ＬＥＤ発光ユニットは回路板と回路板に電気的に接続されるＬＥＤ（発光ダイオード）とを有し、
カバーは透光性のある材質から構成され、ＬＥＤ発光ユニットから放射された光はカバーを透過可能であることを特徴とする請求項２に記載のＬＥＤランプモジュール。
【請求項４】
固定ユニットはアルミニウム材質から一体成形されることを特徴とする請求項１に記載のＬＥＤランプモジュール。
【請求項５】
頂部は円形を呈し、壁面は頂部の周縁から環状を呈するように垂直に延びて形成され、固定片は壁面から同軸上に位置するように延びて形成され、頂部はＬＥＤランプの光を透過させるための穿孔を有し、壁面は二つの対応する位置に固定槽を別々に有し、固定槽は電気端子の装着に用いられかつ電気端子と固定ユニットとの間の位置を制限することを特徴とする請求項１に記載のＬＥＤランプモジュール。
【請求項６】
ランプの笠はアルミニウム材質から一体成形されることを特徴とする請求項１に記載のＬＥＤランプモジュール。
【請求項７】
固定片はランプの笠の固定孔を貫通し、かつランプの笠の底部の底面に密着するように折り曲げられることを特徴とする請求項１に記載のＬＥＤランプモジュール。
【請求項８】
ランプの笠は、底部と、底部から環状を呈するように延びて形成される集光部とを有し、収容室は、底部及び集光部から囲まれる空間中に形成されることを特徴とする請求項１に記載のＬＥＤランプモジュール。
【請求項９】
ランプの笠の集光部は、ＬＥＤランプが生成した光を反射・集中させ、外部の定点に投射することを特徴とする請求項８に記載のＬＥＤランプモジュール。
【請求項１０】
外部に露出している二つの電気端子と少なくとも一つの固定片とを有し、電気端子を介して外部の電源を導入し、光を生成可能であるＬＥＤランプと、
陥凹している収容室を形成し、前記収容室は底部に少なくとも一つの固定孔と二つの貫通孔とを有するランプの笠と、を備え、
前記ＬＥＤランプは収容室内に位置付けられ、固定片は固定孔を貫通し、ＬＥＤランプとランプの笠との間の相互位置を安定させ、二つの電気端子を二つの貫通孔に別々に対応させることを特徴とするＬＥＤランプモジュール。
【発明の詳細な説明】
【技術分野】
【０００１】
本考案はＬＥＤランプ、詳しく言えばＬＥＤランプモジュールに関するものである。
【背景技術】
【０００２】
一般のＬＥＤランプ、特に光を投射するＬＥＤランプは図１と図２に示す通りである。そのうちＬＥＤランプ１はアルミニウム基板２に電気的に接続され、両極電線３ははんだ付けによりアルミニウム基板２に接続され、アルミニウム基板２は電線３とＬＥＤランプ１との間を電気的に接続するブリッジである。またアルミニウム基板２はねじ４によりランプの笠５の内部に締め付けられ、ランプの笠５はＬＥＤランプ１から放射された光を集中させ、外部の定点に投射可能である。
【０００３】
組み立てる場合、まずＬＥＤランプ１をアルミニウム基板２にはんだ付けし、ランプの笠５の所定の位置にアルミニウム基板２上に設けられた孔の位置を正確に合わせ、続いてねじ４をアルミニウム基板２の孔から貫通させ、ランプの笠５に締め付ける。しかしユニットの総数が多すぎるため、組立工程が複雑になり、手間がかかるだけでなく、ユニットの定位精度が落ちるという問題が発生する。
【発明の開示】
【発明が解決しようとする課題】
【０００４】
本考案の主な目的は、構造と組立が簡単なＬＥＤランプモジュールを提供することである。
本考案のもう一つ目的は、それぞれのユニットの間を簡単に組立・固定することが可能なＬＥＤランプモジュールを提供することである。
【課題を解決するための手段】
【０００５】
上述の目的を達成するために、本考案によるＬＥＤランプモジュールはＬＥＤランプと固定ユニットとランプの笠とを備える。ＬＥＤランプは外部に露出している二つの電気端子を有し、電気端子を介して外部の電源を導入し、光を生成可能である。固定ユニットは頂部と、頂部の周縁から延びて形成される壁面と、壁面底部に形成される少なくとも一つの固定片とを有する。ＬＥＤランプは壁面と頂部との間に位置付けられる。ランプの笠は底部と、底部から環状を呈するように延びて形成される集光部とを有し、底部及び集光部により収容室を形成し、底部は少なくとも一つの固定孔と二つの貫通孔とを有し、固定ユニットとＬＥＤランプは収容室内に位置付けられ、固定ユニットの固定片はランプの笠の固定孔を貫通し、固定ユニット、ＬＥＤランプ、及びランプの笠の間の相互位置を安定させ、二つの電気端子を二つの貫通孔に別々に対応させる。
【発明を実施するための最良の形態】
【０００６】
以下、実施例と図面に基づいて考案の特徴と目的を説明する。まず図面の説明は下記の通りである。
図３は本考案の一実施例によるＬＥＤランプモジュールの分解斜視図である。
図４は図３に示す本考案の一実施例によるＬＥＤランプモジュールの断面図である。
図５は図３に示す本考案の一実施例によるＬＥＤランプモジュールの別の方向から見た断面図である。
【０００７】
図３から図５に示すように、本考案の一実施例によるＬＥＤランプモジュール１００は、ＬＥＤランプ１０と固定ユニット２０とランプの笠３０とを備える。
ＬＥＤランプ１０は一般の標準規格のユニットから構成され、底座１１とＬＥＤ発光ユニット（図中未表示）とカバー１２と二つの電気端子１３とを含む。底座１１は絶縁性のあるプラスチック材質から構成され、ＬＥＤ発光ユニットは回路板と、回路板に電気的に接続されるＬＥＤ（発光ダイオード）とを有し、ＬＥＤ（発光ダイオード）は底座１１に配置され、通電すると光を生成する。カバー１２は透光性のある材質から構成され、ＬＥＤ発光ユニットから放射された光はカバー１２を透過可能である。二つの電気端子１３はその一端が底座１１の両側の対応する箇所から底座を貫通し、ＬＥＤ発光ユニットに電気的に接続され、他端が底座１１から露出し外部の電源に接続されるため、電気端子１３を通してＬＥＤ発光ユニットに電流を通すことが可能である。
【０００８】
固定ユニット２０はアルミニウム材質から一体成形され、円形頂部２１と、頂部２１の周縁から環状を呈するように垂直に延びて形成される壁面２２と、壁面２２から同軸上に位置するように延びて形成される二つの固定片２３とを有する。頂部２１は穿孔２４を有し、壁面２２は自由端の縁部で二つの対応する位置に固定槽２５を別々に有する。
ランプの笠３０はアルミニウム材質から一体成形され、円形底部３１と、底部３１の周縁からカップ状を呈するように延びて形成される集光部３２とを有し、底部３１と集光部３２とはランプの笠３０の内部に陥凹している収容室を形成する。また底部３１は二つの固定孔３３と二つの貫通孔３４とを有する。
【０００９】
以上は本実施例によるＬＥＤランプモジュール１００のユニットについての説明であった。続いて本実施例によるＬＥＤランプモジュール１００の組立方法と特徴について説明する。
まず固定ユニット２０の壁面２２内にＬＥＤランプ１０の底座１１を装着し、カバー１２を穿孔２４から露出させ、底座１１の頂面と固定ユニット２０の頂部の底面とを互いに密着させる。このとき底座１１の位置は壁面２２内に制限され、ＬＥＤランプ１０の電気端子１３は固定ユニット２０の固定槽２５に位置付けられるため、ＬＥＤランプ１０は固定ユニット２０の所定の位置に固定される。続いて、ＬＥＤランプ１０を装着した固定ユニット２０の固定片２３をランプの笠３０の固定孔３３から貫通させ、折り曲げてランプの笠３０の底部３１の底面（図５に示す通り）に密着させることにより固定ユニット２０とランプの笠３０とを完全に結合させる。このときＬＥＤランプ１０の位置はランプの笠３０の固定ユニット２０内に制限され、またＬＥＤランプ１０の電気端子１３の位置はランプの笠３０の貫通孔３４に対応可能であるように固定槽２５内に制限されるため、外部の電線は貫通孔３４を貫通し、電気端子１３に連接し電流を通すことが可能であり、ＬＥＤ発光ユニットは光を生成し、カバー１２を透過可能であり、ランプの笠３０の集光部３２は光を反射・集中させ外部の定点に投射し、そして投射された光の輝度を増強可能である。
【００１０】
上述をまとめてみると、本実施例は固定ユニットによりＬＥＤランプの位置に制限を加え、直接固定ユニットとランプの笠とを結合させることによりＬＥＤランプを所定の位置に正確に固定する（その電気端子を貫通孔に対応させる）ことが可能である。これにより、本実施例は所要ユニット数を減らし、材料にかかるコストを削減可能なだけでなく、ユニットを容易に組立・固定し、かつ組立工程にかかる手間を減少させることが可能である。
【００１１】
また、ＬＥＤランプを製造する際、その側辺または壁面底部の適切な位置に少なくとも一つの固定片を増設可能である。これにより固定片とランプの笠とを結合させることにより直接ＬＥＤランプをランプの笠に取付け・固定することが可能となる。従って、固定片を配置することなく所要ユニットを簡単化することが可能なだけでなく、組立と構造とを簡単化することが可能である。
【図面の簡単な説明】
【００１２】
【図１】周知のＬＥＤランプ構造の分解斜視図である。
【図２】図１に示す周知のＬＥＤランプ構造の断面図である。
【図３】本考案の一実施例によるＬＥＤランプモジュールの分解斜視図である。
【図４】図３に示す本考案の一実施例によるＬＥＤランプモジュールの断面図である。
【図５】図３に示す本考案の一実施例によるＬＥＤランプモジュールの別の方向から見た断面図である。
【符号の説明】
【００１３】
１００  ＬＥＤランプモジュール、１０  ＬＥＤランプ、１１  底座、１２  カバー、  １３  電気端子、２０  固定ユニット、２１  頂部、２２  壁面、２３  固定片、２４  穿孔、２５  固定槽、３０  ランプの笠、３１  底部、３２  集光部、３３  固定孔、３４  貫通孔
【図１】
2008066056.tif 000003
【図２】
2008066056.tif 000004
【図３】
2008066056.tif 000005
【図４】
2008066056.tif 000006
【図５】
2008066056.tif 000007